(57)【要約】      （修正有）【課題】操作性が高く、かつ持ち運びが容易な携帯用粘着ごみ取り具を提供する。【解決手段】携帯用粘着ごみ取り具１０は、一面が粘着面であって他面が非粘着面である複数の粘着シート２０と、複数の粘着シートの粘着面が剥離可能に貼り付けられる剥離面３１を備え、複数の粘着シートが一列に並んで貼り付けられるとともに、隣り合う粘着シートの間に折り目３３が形成されて蛇腹状に折り曲げ可能な台シート３０と、台シートの一部が固定され、台シートを内側に挟んで収容できる２つ折りの収容シート４０と、を有する。【選択図】図２
0003211763.tif 000002
【実用新案登録請求の範囲】
【請求項１】
一面が粘着面であって他面が非粘着面である複数の粘着シートと、
前記複数の粘着シートの粘着面が剥離可能に貼り付けられる剥離面を備え、複数の前記粘着シートが一列に並んで貼り付けられるとともに、隣り合う前記粘着シートの間に折り目が形成されて蛇腹状に折り曲げ可能な台シートと、
前記台シートの一部が固定され、前記台シートを内側に挟んで収容できる少なくとも２つ折りの収容シートと、を有する携帯用粘着ごみ取り具。
【請求項２】
前記台シートの折り目は、周囲の部位よりも剛性が低く切り離し可能な脆弱部を有する請求項１に記載の携帯用粘着ごみ取り具。
【請求項３】
前記収容シートは、前記台シートが固定される裏シートと、前記裏シートに対して折り返される表シートと、を有し、
前記表シートは、当該表シートおよび裏シートの間に挟まれた前記台シートまたは粘着シートを外部へ露出させる開口部を有する請求項１または２に記載の携帯用粘着ごみ取り具。
【考案の詳細な説明】
【技術分野】
【０００１】
本考案は、例えば衣服などに付着した糸屑や埃等のごみを粘着シートにより取り除く携帯用粘着ごみ取り具に関する。
【背景技術】
【０００２】
例えば衣服などのように、糸屑や埃等のごみが付着しやすい物にごみが一旦付着すると、取り除くことが困難である。このため、衣服などに付着したごみを取り除くために、粘着シートを用いた粘着ゴミ取り具が用いられている。例えば、特許文献１に記載の粘着ゴミ取り具は、一面が粘着面であって他面が非粘着面である粘着シートを複数枚貼り重ねた粘着シート積層体が、２つ折りの基体シートに挟んで固定されている。
【先行技術文献】
【特許文献】
【０００３】
【特許文献１】実用新案登録第３０８３３６２号公報
【考案の概要】
【考案が解決しようとする課題】
【０００４】
特許文献１に記載の粘着ごみ取り具は、同形状の粘着シートが複数枚貼り重ねられているため、粘着シート積層体から、一枚ずつ粘着シートを剥がして使用される。しかしながら、同形状の粘着シートが積層されていると、最上層から粘着シートを一枚ずつ剥がすためには手間が掛かり、操作性が低い。
【０００５】
本考案は、上述した課題を解決するためになされたものであり、操作性が高く、かつ持ち運びが容易な携帯用粘着ごみ取り具を提供することを目的とする。
【課題を解決するための手段】
【０００６】
上記目的を達成する携帯用粘着ごみ取り具は、一面が粘着面であって他面が非粘着面である複数の粘着シートと、前記複数の粘着シートの粘着面が剥離可能に貼り付けられる剥離面を備え、複数の前記粘着シートが一列に並んで貼り付けられるとともに、隣り合う前記粘着シートの間に折り目が形成されて蛇腹状に折り曲げ可能な台シートと、前記台シートの一部が固定され、前記台シートを内側に挟んで収容できる少なくとも２つ折りの収容シートと、を有する。
【考案の効果】
【０００７】
上記のように構成した携帯用粘着ごみ取り具は、蛇腹状の台シートの折り目を挟む各々の部位に、粘着シートが張り付けられているため、粘着シートを台シートから剥がしやすくなり、操作性が向上する。さらに、蛇腹状の１枚の台シートに複数の粘着シートを保持できるため、高い操作性を得つつも、台シートを蛇腹状に折り畳んでコンパクトに収容でき、持ち運びが容易である。
【０００８】
前記台シートの折り目は、周囲の部位よりも剛性が低く切り離し可能な脆弱部を有してもよい。これにより、台シートの粘着シートが剥がされて不要となった部位を、脆弱部で切り離して廃棄することができる。
【０００９】
前記収容シートは、前記台シートが固定される裏シートと、前記裏シートに対して折り返される表シートと、を有し、前記表シートは、当該表シートおよび裏シートの間に挟まれた前記台シートまたは粘着シートを外部へ露出させる開口部を有してもよい。これにより、表シートおよび裏シートの間に台シートを挟んだ状態で、開口部から台シートまたは粘着シートの有無を容易に把握できる。
【図面の簡単な説明】
【００１０】
【図１】本実施形態に係る携帯用粘着ごみ取り具を示す斜視図である。
【図２】本実施形態に係る携帯用粘着ごみ取り具の収容シートを開いた状態を示す斜視図である。
【図３】本実施形態に係る携帯用粘着ごみ取り具の台シートを引き延ばした状態を示す平面図である。
【図４】本実施形態に係る携帯用粘着ごみ取り具の台シートを引き延ばした状態を示す拡大平面図である。
【図５】本実施形態に係る携帯用粘着ごみ取り具から粘着シートを剥がしている状態を示す斜視図である。
【図６】本実施形態に係る携帯用粘着ごみ取り具から次の粘着シートを剥がしている状態を示す斜視図である。
【考案を実施するための形態】
【００１１】
以下、図面を参照して、本考案の実施の形態を説明する。なお、図面の寸法比率は、説明の都合上、誇張されて実際の比率とは異なる場合がある。本実施形態に係る携帯用粘着ごみ取り具１０は、例えば衣服などに付着した糸屑や埃等の小さなごみを取り除くための、携帯可能なごみ取り具である。なお、携帯用粘着ごみ取り具１０がごみを取り除く対象は、特に限定されず、衣服でなくてもよい。携帯用粘着ごみ取り具１０は、図１〜４に示すように、複数の粘着シート２０と、粘着シート２０が剥離可能に張り付けられた台シート３０と、台シート３０が固定された収容シート４０とを備えている。
【００１２】
各々の粘着シート２０は、図３、４に示すように、４つの角部２３を有する長方形であり、一面が粘着面２１（図５を参照）であって他面が非粘着面２２であるシール状の柔軟な部材である。なお、粘着シート２０の形状は、長方形に限定されない。粘着面２１は、粘着性の材料が付着されており、台シート３０に剥離可能に張り付けられている。非粘着面２２は、粘着性の材料が付着されておらず、粘着性を備えていない。非粘着面２２には、絵（図形）、色彩または文字などの模様が印刷等によって付されてもよい。
【００１３】
台シート３０は、図２〜４に示すように、複数の粘着シート２０の粘着面２１が剥離可能に貼り付けられる剥離面３１と、剥離面３１の裏側である裏面３２とを備えている。台シート３０は、柔軟性を備え、かつ粘着シート２０よりも硬く形成されている。台シート３０は、複数の粘着シート２０が所定の間隔を空けて一列に並んで貼り付けられている。台シート３０の隣り合う粘着シート２０同士の間には、折り目３３が形成される。台シート３０の折り目３３は、山折りと谷折りが交互に形成されている。このため、台シート３０は、山折りおよび谷折りによって蛇腹状に折り畳むことができる。台シート３０は、折り目３３により複数の単位シート３４に分割されている。複数の単位シート３４は、蛇腹状に折り畳んだ際に重なるように、同形状であることが好ましい。各々の単位シート３４には、１つの粘着シート２０が張り付けられている。隣り合う粘着シート２０は、長辺同士が平行に隣接して配置される。全ての粘着シート２０の短辺は、蛇腹が引き延ばされた状態の台シート３０の長辺を構成する２つの外縁部３５上に位置する。したがって、粘着シート２０の角部２３は、外縁部３５上に位置している。台シート３０の折り目３３には、粘着シート２０が張り付けられていない。このため、折り目３３が折り曲げられる際に、粘着シート２０が折り目３３と共に変形せず、粘着シート２０が台シート３０から意図せずに剥がれることを抑制できる。
【００１４】
蛇腹の折り目３３には、周囲の部位よりも剛性が低く切り離し可能な脆弱部３６が形成されている。脆弱部３６は、例えば、剥離面３１から裏面３２へ貫通する切れ目が間隔を空けて形成されたミシン目である。脆弱部３６は、剛性が低いため、容易に切り離すことが可能である。なお、脆弱部３６は、ミシン目でなくてもよく、例えば、台シート３０を貫通しない深さで形成された溝であってもよい。
【００１５】
収容シート４０は、図１〜４に示すように、蛇腹状に折り畳まれた台シート３０を、内側に挟んで収容できる２つ折りの部材である。収容シート４０は、折り畳まれた台シート３０の一方側の短辺の近傍が固定された裏シート４１と、裏シート４１に対して開閉する表シート４２と、表シート４２と裏シート４１の間に設けられる屈曲部４３とを備えている。台シート３０の裏シート４１に対して固定される面は、台シート３０の裏面３２である。表シート４２、屈曲部４３および裏シート４１は、１枚のシートを折り曲げて形成されている。裏シート４１および表シート４２は、台シート３０を収容できるように、折り畳んだ台シート３０よりも大きい長方形で形成される。裏シート４１の内面側（台シート３０を収容する側）には、折り畳まれた台シート３０の一方面側の少なくとも一部が固定されている。表シート４２は、折り畳んだ台シート３０に被さって台シート３０を覆うことができる。屈曲部４３は、表シート４２と裏シート４１の間に位置し、表シート４２を裏シート４１に対して開閉するように屈曲する部位である。なお、表シート４２が裏シート４１に対して閉じた状態とは、図１に示すように、表シート４２が裏シート４１に固定された台シート３０に被さった状態を意味する。そして、表シート４２が裏シート４１に対して開いた状態とは、図２に示すように、表シート４２が裏シート４１に固定された台シート３０から離れた状態を意味する。屈曲部４３は、蛇腹状に折り畳まれた台シート３０の、粘着シート２０が貼り付けられた剥離面３１側に位置している。表シート４２は、閉じた状態において、台シート３０または粘着シート２０を露出させる開口部４４が形成されている。なお、開口部４４の形状は、特に限定されない。
【００１６】
次に、本実施形態に係る携帯用粘着ごみ取り具１０の使用方法を説明する。
【００１７】
携帯用粘着ごみ取り具１０は、図１に示すように、台シート３０を表シート４２が覆った状態で、持ち主に所持される。携帯用粘着ごみ取り具１０は、薄いために嵩張らず、鞄や衣服のポケット等に収めて持ち運ぶことが容易である。また、表シート４２には、開口部４４が形成されているため、表シート４２が閉じていても、開口部４４から粘着シート２０や台シート３０を認識できる。このため、表シート４２が閉じていても、粘着シート２０の有無を開口部４４から容易に確認できる。特に、粘着シート２０や台シート３０に模様が付されている場合には、開口部４４から粘着シート２０や台シート３０を認識することがより容易となる。また、蛇腹状に折り畳まれた台シート３０が、表シート４２および裏シート４１の間に挟まれているため、持ち運ぶ際に、粘着シート２０が台シート３０から意図せずに剥がれることを抑制できる。また、蛇腹状に折り畳まれた台シート３０の剥離面３１が、屈曲部４３側に位置しているため、剥離面３１に張り付けられた粘着シート２０を、収容シート４０の屈曲部４３によって覆い、効果的に保護できる。
【００１８】
例えば、対象物として衣服に付着したごみを取り除く場合、図５に示すように、表シート４２を裏シート４１に対して開き、蛇腹状に折り畳まれた台シート３０を露出させる。次に、最上部の単位シート３４、すなわち裏シート４１から最も離れた単位シート３４に張り付けられている粘着シート２０を、単位シート３４から剥がす。この際に、最上部の単位シート３４の裏面３２が最上面に位置している場合には、最上部の単位シート３４の折り目３３を伸ばし、単位シート３４の剥離面３１を露出させる。これにより、単位シート３４の剥離面３１から、粘着シート２０を剥がすことができる。このとき、粘着シート２０の角部２３が、単位シート３４の外縁部３５上に位置しているため、持ち主は、粘着シート２０の角部２３を容易に把持でき、単位シート３４から粘着シート２０を容易に剥がすことができる。
【００１９】
持ち主は、剥がした粘着シート２０の粘着面２１を、衣服のごみが付着している部位に軽く押し当てる。この後、粘着面２１を衣服から剥がすことで、ごみを粘着面２１に付着させて衣服から取り除くことができる。使用した後の粘着シート２０は、ごみとして廃棄される。
【００２０】
粘着シート２０が剥がされた単位シート３４は、図６に示すように、脆弱部３６により切り離して廃棄することができる。次の粘着シート２０を使用する場合には、次の最上部の単位シート３４の剥離面３１が最上面に位置しているため、最上部の単位シート３４の折り目３３を伸ばすことなく、最上部の単位シート３４の剥離面３１から、粘着シート２０を剥がすことができる。この後、粘着シート２０が剥がされた単位シート３４を、脆弱部３６により切り離して廃棄することができる。この後、必要に応じて、順次、最上部側の単位シート３４から粘着シート２０を剥がし、ごみを粘着面２１に付着させて衣服から取り除くことができる。
【００２１】
なお、粘着シート２０が剥がされた単位シート３４は、切り離されなくてもよい。また、粘着シート２０を単位シート３４から剥がした後に、単位シート３４を脆弱部３６で切り離すのではなく、単位シート３４を脆弱部３６で切り離した後に、粘着シート２０を単位シート３４から剥がしてもよい。また、粘着シート２０が張り付けられた状態の単位シート３４を脆弱部３６で切り離す際には、複数の単位シート３４を、つながった状態でまとめて切り離してもよい。
【００２２】
使用した後の携帯用粘着ごみ取り具１０は、図１に示すように、表シート４２を裏シート４１に対して閉じ、蛇腹状に折り畳まれた台シート３０を表シート４２および裏シート４１の間に挟んで収容する。これにより、再び持ち運ぶ際に、粘着シート２０が台シート３０から意図せずに剥がれることを抑制できる。
【００２３】
以上のように、本実施形態に係る携帯用粘着ごみ取り具１０は、一面が粘着面２１であって他面が非粘着面２２である複数の粘着シート２０と、複数の粘着シート２０の粘着面２１が剥離可能に貼り付けられる剥離面３１を備え、複数の粘着シート２０が一列に並んで貼り付けられるとともに、隣り合う粘着シート２０の間に折り目３３が形成されて蛇腹状に折り曲げ可能な台シート３０と、台シート３０の一部が固定され、台シート３０を内側に挟んで収容できる２つ折りの収容シート４０と、を有する。
【００２４】
上記のように構成した携帯用粘着ごみ取り具１０は、蛇腹状の台シート３０の折り目３３を挟む各々の部位に、粘着シート２０が張り付けられているため、粘着シート２０を台シート３０から剥がしやすくなり、操作性が向上する。さらに、蛇腹状の１枚の台シート３０に複数の粘着シート２０を保持できるため、高い操作性を得つつも、台シート３０を蛇腹状に折り畳んでコンパクトに収容でき、持ち運びが容易である。
【００２５】
また、台シート３０の折り目３３は、周囲の部位よりも剛性が低く切り離し可能な脆弱部３６を有する。これにより、台シート３０の粘着シート２０が剥がされて不要となった部位を、脆弱部３６で切り離して廃棄することができる。
【００２６】
また、収容シート４０は、台シート３０が固定される裏シート４１と、裏シート４１に対して折り返される表シート４２と、を有し、表シート４２は、当該表シート４２および裏シート４１の間に挟まれた台シート３０または粘着シート２０を外部へ露出させる開口部４４を有する。これにより、表シート４２および裏シート４１の間に台シート３０を挟んだ状態で、開口部４４から台シート３０または粘着シート２０の有無を容易に把握できる。
【００２７】
なお、本考案は、上述した実施形態のみに限定されるものではなく、本考案の技術的思想内において当業者により種々変更が可能である。例えば、粘着シート２０や単位シート３４の数や形状は、特に限定されない。また、表シート４２は、開口部４４が形成されなくてもよい。また、収容シート４０は、２つ折りに限定されず、例えば３つ折りであってもよい。
【符号の説明】
【００２８】
１０    携帯用粘着ごみ取り具
２０    粘着シート
２１    粘着面
２２    非粘着面
２３    角部
３０    台シート
３１    剥離面
３２    裏面
３３    折り目
３４    単位シート
３５    外縁部
３６    脆弱部
４０    収容シート
４１    裏シート
４２    表シート
４３    屈曲部
４４    開口部
【図１】
0003211763.tif 000003
【図２】
0003211763.tif 000004
【図３】
0003211763.tif 000005
【図４】
0003211763.tif 000006
【図５】
0003211763.tif 000007
【図６】
0003211763.tif 000008